(57)【要約】【課題】  容器内に収容されている対象物を捨てる際、フィルタに付着している対象物が周囲に飛散することを抑えることができる捕集機を提供する。【解決手段】  フィルタ３２２は、吸引部によって吸い込まれた流体を通過させ、流体に含まれている対象物を捕集して、対象物を流体から分離する。ダストケース３１は、フィルタ３２２によって分離された対象物を収容する。振るい部３３は、フィルタ３２２に付着した対象物をダストケース３１の内部に振るい落とすために設けられている。【選択図】図６
2019080854.tif 000002
【特許請求の範囲】
【請求項１】
流体を吸い込む吸引部と、
前記吸引部によって吸い込まれた前記流体を通過させ、前記流体に含まれている対象物を捕集して、前記対象物を前記流体から分離するフィルタと、
前記フィルタによって分離された前記対象物を収容する容器と、
前記フィルタに付着した前記対象物を前記容器の内部に振るい落とすための振るい部と、を備える
ことを特徴とする捕集機。
【請求項２】
前記振るい部は、前記対象物を振るい落とすために前記振るい部を振動させる力が加えられる操作部を有することを特徴とする請求項１記載の捕集機。
【請求項３】
前記吸引部によって吸い込まれた前記流体の流路に前記フィルタが設けられ、前記流体の流路において、前記操作部は前記フィルタの下流側に設けられることを特徴とする請求項２記載の捕集機。
【請求項４】
前記フィルタは、開口を有する袋状に形成されており、
前記振るい部の少なくとも一部は、前記開口から前記フィルタの内部に収容されている
ことを特徴とする請求項１乃至３のいずれか一項に記載の捕集機。
【請求項５】
前記振るい部は、前記フィルタが取り付けられるフィルタ取付部を有することを特徴とする請求項１乃至４のいずれか一項に記載の捕集機。
【請求項６】
前記容器に対して着脱可能に構成されて、前記吸引部が収納されている本体ケースをさらに備え、
前記振るい部及び前記フィルタは、前記容器に収納された状態で前記容器に取り付けられている
ことを特徴とする請求項１乃至５のいずれか一項に記載の捕集機。
【請求項７】
前記フィルタは、枠体形状のフィルタフレームに取り付けられており、
前記振るい部は、前記フィルタフレームに固定されている
ことを特徴とする請求項１乃至６のいずれか一項に記載の捕集機。
【発明の詳細な説明】
【技術分野】
【０００１】
本発明は、一般に、捕集機に関する。
【背景技術】
【０００２】
従来の捕集機として、電池パックをハウジングに装着したハンディクリーナがある。ハウジング内には、フィルタと、ダストカップとが収納されており、ハウジング内に取り込まれた空気はフィルタを通過し、空気内の塵がフィルタにより捕捉され、塵はダストカップ内に収容される（例えば、特許文献１参照）。
【先行技術文献】
【特許文献】
【０００３】
【特許文献１】特開２０１５−１０４４０８号公報
【発明の概要】
【発明が解決しようとする課題】
【０００４】
従来の捕集機では、ダストカップ（容器）内に収容されている塵などの対象物を捨てる際、フィルタに付着している対象物が周囲に飛散してしまうという問題があった。
【０００５】
本発明の目的とするところは、容器内に収容されている対象物を捨てる際、フィルタに付着している対象物が周囲に飛散することを抑えることができる捕集機を提供することにある。
【課題を解決するための手段】
【０００６】
本発明の一態様に係る捕集機は、吸引部と、フィルタと、容器と、振るい部と、を備える。前記吸引部は、流体を吸い込む。前記フィルタは、前記吸引部によって吸い込まれた前記流体を通過させ、前記流体に含まれている対象物を捕集して、前記対象物を前記流体から分離する。前記容器は、前記フィルタによって分離された前記対象物を収容する。前記振るい部は、前記フィルタに付着した前記対象物を前記容器の内部に振るい落とすために設けられている。
【発明の効果】
【０００７】
以上説明したように、本発明では、ダストボックス内に溜まっている対象物を捨てる際、フィルタに付着している対象物が周囲に飛散することを抑えることができるという効果がある。
【図面の簡単な説明】
【０００８】
【図１】実施形態の捕集機を備える捕集システムを示す斜視図である。
【図２】同上の捕集システムを示す分解斜視図である。
【図３】同上の捕集機の本体ケースの一部を省略した斜視図である。
【図４】図４Ａは、同上の捕集システムの電池パックを上方から見た斜視図である。図４Ｂは、同上の電池パックを下方から見た斜視図である。
【図５】同上の捕集機の装着部を示す斜視図である。
【図６】同上の捕集機のダストユニットを示す斜視図である。
【図７】同上のダストユニットを示す分解斜視図である。
【図８】同上のダストユニットのフィルタユニット及び振るい部を示す分解斜視図である。
【図９】同上のフィルタユニットのフィルタフレームを示す断面図である。
【図１０】同上の捕集システムの別構成を示す斜視図である。
【発明を実施するための形態】
【０００９】
以下の実施形態は、一般に、捕集機に関する。より詳細には、吸引した対象物を容器の内部に収容する捕集機に関する。
【００１０】
そして、本実施形態の捕集機は、主に、建設現場、工事現場、工場などで用いられ、粉体、埃、塵などの対象物を流体とともに吸い込む。本実施形態の捕集機が吸い込む具体的な流体としては、空気が挙げられる。また、本実施形態の捕集機が流体とともに吸い込む具体的な対象物（粉体）としては、石膏ボードを加工（切断、穴あけなど）した場合に生じる石膏粉などが挙げられる。なお、本実施形態の捕集機の使用場所は、上述の建設現場、工事現場、工場に限定されない。また、本実施形態の捕集機が吸い込む流体は、空気以外の気体、または水などの液体であってもよい。また、本実施形態の捕集機が流体とともに吸い込む対象物は、粉体、埃、塵に限定されない。
【００１１】
以下に実施形態を図面に基づいて説明する。なお、以下の説明では、特に断りのない限り、図１において、前後、左右、上下の各方向が規定されている。
【００１２】
本実施形態の捕集システムＳ１は、図１に示すように、捕集機１と、出力電圧の定格値（以降、定格電圧値と呼ぶ）が互いに異なる複数種類の電池パックＢＴとを備える。図１では、複数種類の電池パックＢＴとして、定格電圧値が互いに異なる２種類の電池パックＢＴ１，ＢＴ２を例示している。しかしながら、電池パックＢＴの種類の数は、定格電圧値が互いに異なる２種類以上であればよく、捕集システムＳ１は、３種類以上の電池パックＢＴを備えていてもよい。
【００１３】
捕集機１は、図１及び図２に示すように、駆動ユニット２と、ダストユニット３とを備える。
【００１４】
駆動ユニット２は、図２，図３に示すように、本体ケース２１と、吸引部２２とを有する。本体ケース２１は、電気絶縁性を有する中空のケースであり、本体ケース２１の内部に吸引部２２が収納されている。
【００１５】
ダストユニット３は、図６，図７に示すように、ダストケース３１（容器）と、フィルタユニット３２とを有する。ダストケース３１は、後面を開口した電気絶縁性を有するケースであり、ダストケース３１の内部にフィルタユニット３２が収納されている。
【００１６】
そして、本体ケース２１とダストケース３１とは互いに着脱可能に構成されており、本体ケース２１とダストケース３１とが組み合わされることで、捕集機１の外殻であるハウジング１１が構成されている。具体的には、ダストケース３１の後面が本体ケース２１の前面に取り付けられる。
【００１７】
まず、駆動ユニット２について説明する。駆動ユニット２は、本体ケース２１の内部に吸引部２２が収納されている。さらに、本体ケース２１の外面に形成された装着面２１ｊに電池パックＢＴが装着される。
【００１８】
本体ケース２１は、左右方向に分割可能な２つの分割ケース２１１，２１２を有している。分割ケース２１１，２１２は、複数のねじ２１３によって互いに組付けられて、本体ケース２１を構成している。本体ケース２１の前方は、前後方向を軸方向とする中空の柱形状に形成されており、本体ケース２１の後側は、下側を切り欠いた中空の箱形状に形成されている。
【００１９】
本体ケース２１の前面には、左右方向に対向する一対の壁部２１ａ，２１ａが形成されており、一対の壁部２１ａ，２１ａの間には、前後方向に貫通する円形状の貫通孔が吸い込み孔２１ｂとして形成されている。吸い込み孔２１ｂには、粗い格子構造に形成された保護キャップ２１ｃが嵌め込まれている。
【００２０】
本体ケース２１の上側には、左右方向に貫通した貫通孔２１ｄが前後方向に沿った略長円形状に形成されており、この貫通孔２１ｄの上方には棒状のグリップ２１ｅが設けられている。グリップ２１ｅの上面には吸引スイッチ２１ｆ（吸引操作部）が設けられており、吸引スイッチ２１ｆは、グリップ２１ｅの上面に突出した２つの押し釦２１ｇ，２１ｈを備える。グリップ２１ｅの下面には複数の溝を有する滑り止め部２１ｉが形成されている。ユーザは、グリップ２１ｅを掌で握り、親指で押し釦２１ｇまたは２１ｈを押すことができる。
【００２１】
本体ケース２１の後側の切り欠きの下面は装着面２１ｊである。装着面２１ｊには装着部２３が設けられており、電池パックＢＴは装着部２３に装着される。
【００２２】
吸引部２２は、モータ２２１と、ファン２２２と、第１回路ユニット２２３と、第２回路ユニット２２４とを有する（図３参照）。そして、電池パックＢＴが装着部２３に装着されることにより、電池パックＢＴは第１回路ユニット２２３に電気的に接続される。
【００２３】
本体ケース２１の前側にはファン２２２が配置されており、ファン２２２の前面（吸気面）は、吸い込み孔２１ｂに対向している。ファン２２２の後面（排気面）側にはモータ２２１が配置されており、モータ２２１の回転軸が前後方向に延びている。モータ２２１の回転軸はファン２２２に連結しており、モータ２２１の回転軸が回転することで、ファン２２２が回転する。モータ２２１は電気モータであり、第１回路ユニット２２３から駆動電力を供給される。
【００２４】
ファン２２２は、所謂ターボファンであり、ファン２２２がモータ２２１の回転軸に連結しており、モータ２２１から伝達された回転力によって回転する。ファン２２２が回転すると、ファン２２２の前面側の気圧は負圧になり、ファン２２２の前面側から後面側に向かう吸引力が発生する。この結果、ファン２２２は、前面側から空気（流体）を吸い込んで、後面側へ空気を排出する。すなわち、ファン２２２は、前面から吸気して、後方から排気する。
【００２５】
第１回路ユニット２２３は、モータ２２１の後方において装着面２１ｊに対向して配置されており、電池パックＢＴから電力を供給されて、モータ２２１の回転を調整する。第１回路ユニット２２３は基板２２３ａを備えており、基板２２３ａには、駆動回路及び制御回路が形成されている。第１回路ユニット２２３は、モータ２２１へ供給する電力値を目標値に調整することで、モータ２２１の回転数を制御する。すなわち、第１回路ユニット２２３は、モータ２２１の回転数を制御して、ファン２２２の吸引力を制御することができる。具体的に、モータ２２１へ供給される電力が増加すれば、ファン２２２の吸引力が増加する。また、モータ２２１へ供給される電力を減少すれば、ファン２２２の吸引力が減少する。
【００２６】
グリップ２１ｅの内部では、吸引スイッチ２１ｆの下方に第２回路ユニット２２４が収納されている。第１回路ユニット２２３と第２回路ユニット２２４とは、電線及びコネクタなどによって互いに電気的に接続されている。第２回路ユニット２２４は基板２２４ａを備えており、押し釦２１ｇ，２１ｈのそれぞれの押操作を検出する検出回路が基板２２４ａに形成されている。そして、第２回路ユニット２２４は、第１回路ユニット２２３から電力を供給されて、吸引スイッチ２１ｆによる操作信号を第１回路ユニット２２３へ出力する。押し釦２１ｇ，２１ｈは、ファン２２２の吸引力を段階的に切り換えるためのスイッチである。具体的に、押し釦２１ｇは、ファン２２２の吸引力を増加させるアップ釦であり、押し釦２１ｈは、ファン２２２の吸引力を減少させるダウン釦である。
【００２７】
そして、押し釦２１ｇがユーザによって押下される毎に、第２回路ユニット２２４は、アップ信号を第１回路ユニット２２３へ出力する。押し釦２１ｈがユーザによって押下される毎に、第２回路ユニット２２４は、ダウン信号を第１回路ユニット２２３へ出力する。第１回路ユニット２２３は、アップ信号を１回受けると、ファン２２２の吸引力を１段階増加させる。また、第１回路ユニット２２３は、ダウン信号を１回受けると、ファン２２２の吸引力を１段階減少させる。ファン２２２の吸引力は、ファン２２２が停止しているゼロからファン２２２が上限回転数で回転している最大吸引力までの間において、複数段階に切換可能である。
【００２８】
本体ケース２１の両側面において、ファン２２２の後方付近にはスリット状の排気口２１ｋがそれぞれ形成されている。ファン２２２の後方に排出された空気（排気）は、排気口２１ｋを通って本体ケース２１の外部に排出される。
【００２９】
電池パックＢＴ（図４Ａ、図４Ｂ参照）は、複数の二次電池（例えば、リチウムイオン電池）と、これら複数の二次電池を収納した直方体状のハウジング９１と、ハウジング９１の一面９１１の一部から突出した偏平な直方体状の突台部９２と、を備える。ハウジング９１及び突台部９２は、電気絶縁性を有する。電池パックＢＴは、ハウジング９１内において複数のリチウムイオン電池が直列接続されている。複数のリチウムイオン電池の直列接続数によって、電池パックＢＴの定格電圧値が決まる。電池パックＢＴは、通信用コネクタ９９を備える。通信用コネクタ９９は、電池パックＢＴの情報を示す電池情報を通信するためのコネクタである。電池情報には、温度情報、残容量情報、定格電圧情報、定格容量情報、回数情報等が含まれる。
【００３０】
突台部９２は、長手方向の第１端９２１及び第２端９２２を有する。電池パックＢＴは、突台部９２の第１端９２１に、３つの挿入溝９３１、９３２、９３３が形成されている。３つの挿入溝９３１、９３２、９３３には、雌型の接続端子９６１、９６２、９６３がそれぞれ収納されている。また、電池パックＢＴは、突台部９２の短手方向の一対の側面９２３の各々に設けられたＬ字状の３つのフック９４１、９４２、９４３を備える。また、電池パックＢＴは、ハウジング９１の一面９１１から露出してフック９４２とフック９４３との間に配置されるロック部９５を備える。ロック部９５は、ハウジング９１の一面９１１を含む壁の孔９１５に挿通されている。ロック部９５は、ハウジング９１内に収納された復帰ばねによって、ハウジング９１の一面９１１から突出する方向の力が与えられている。ここにおいて、復帰ばねは、圧縮コイルばねである。また、電池パックＢＴは、ロック部９５によるロック状態を解除するためのロック解除操作部９７（図４Ｂ参照）を備える。
【００３１】
装着部２３は、図５に示すように、装着面２１ｊにおいて偏平な直方体状に形成されている。装着部２３の下面２３８は、下方に開放した直方体状の凹部２３０を有し、凹部２３０の後端（長手方向の一端側）が切り欠かれている。すなわち、装着部２３は、電池パックＢＴ（図４Ａ参照）の突台部９２を収容する矩形体状の凹部２３０を有しており、凹部２３０は下側及び後側が開放している。装着部２３は、凹部２３０の短手方向の一対の内側面２３４の各々に、Ｌ字状の３つのフック２３１、２３２、２３３を備える。３つのフック２３１、２３２、２３３は、電池パックＢＴのフック９４１、９４２、９４３にそれぞれ引っ掛かる。また、装着部２３は、電池パックＢＴの通信用コネクタ９９に接続可能な通信用コネクタ２３５と、電池パックＢＴの３つの接続端子９６１、９６２、９６３のうち２つの接続端子９６１、９６２に差し込み接続される２つの電源端子２３６、２３７と、を備える。ここにおいて、電源端子２３６は、電池パックＢＴの正極の電源端子である。また、電源端子２３７は、電池パックＢＴの負極の電源端子である。電源端子２３６、２３７、及び通信用コネクタ２３５は、第１回路ユニット２２３の基板２２３ａに電気的に接続している。
【００３２】
装着部２３に電池パックＢＴを装着するときには、例えば、電池パックＢＴのフック９４１、９４２、９４３と装着部２３のフック２３１、２３２、２３３とが干渉しないように電池パックＢＴの突台部９２を装着部２３の下面２３８側から凹部２３０に挿入する。その後、電池パックＢＴを突台部９２の第１端９２１側にずらすことにより、装着部２３に電池パックＢＴを装着することができる。装着部２３に電池パックＢＴを装着したときには、電池パックＢＴのフック９４１、９４２、９４３が、装着部２３のフック２３１、２３２、２３３にそれぞれ引っ掛かっている。また、電池パックＢＴのロック部９５は、電池パックＢＴのフック９４３に引っ掛かっている装着部２３のフック２３３をロックしたロック状態となる。
【００３３】
装着部２３から電池パックＢＴを取り外すときには、例えば、電池パックＢＴに設けられているロック解除操作部９７を操作することでフック９４２とフック９４３との間に配置されているロック部９５を復帰ばねのばね力に抗して動かし、電池パックＢＴを突台部９２の第２端９２２側にずらしてから、電池パックＢＴを装着面２１ｊから離す向きに動かせばよい。
【００３４】
本実施形態では、複数種類の電池パックＢＴとして、図１、図２に示すように、定格電圧値が互いに異なる２種類の電池パックＢＴ１，ＢＴ２を用いる。電池パックＢＴ１は、定格電圧値が１８Ｖであり、電池パックＢＴ２は、定格電圧値が１４．４Ｖである。電池パックＢＴ１の高さ寸法（上下方向の寸法）は、電池パックＢＴ２の高さ寸法より長く、電池パックＢＴ１の重量は、電池パックＢＴ２の重量より大きい。
【００３５】
そして、装着部２３には、電池パックＢＴ１，ＢＴ２のうち、ユーザによって選択された一方の電池パックが使用電池パックとして装着される。使用電池パックが電池パックＢＴ１である場合、吸引部２２には１８Ｖの電圧が供給される。また、使用電池パックが電池パックＢＴ２である場合、吸引部２２には１４．４Ｖの電圧が供給される。
【００３６】
第１回路ユニット２２３は、通信用コネクタ２３５を介して、使用電池パックから電池情報を受け取る。電池情報には定格電圧情報が含まれており、第１回路ユニット２２３は受け取った定格電圧情報に基づいて、使用電池パックの定格電圧値を認識して、使用電池パックが電池パックＢＴ１，ＢＴ２のいずれであるかを判別することができる。そして、第１回路ユニット２２３は、電池パックＢＴ１，ＢＴ２のそれぞれに対応する制御パラメータのデータを予め記憶しており、使用電池パックに対応する制御パラメータのデータを用いて、ファン２２２の吸引力を制御する。
【００３７】
電池パックＢＴ１の定格電圧値は電池パックＢＴ２の定格電圧値より大きく、ファン２２２の駆動時におけるファン２２２の吸引力の上限値及び下限値（ゼロより大きい）は以下のようになる。使用電池パックが電池パックＢＴ１である場合におけるファン２２２の吸引力の上限値は、使用電池パックが電池パックＢＴ２である場合におけるファン２２２の吸引力の上限値より大きくなる。また、使用電池パックが電池パックＢＴ２である場合におけるファン２２２の吸引力の下限値は、使用電池パックが電池パックＢＴ１である場合におけるファン２２２の吸引力の下限値より小さくなる。
【００３８】
この結果、吸引部２２は、使用電池パックが電池パックＢＴ１である場合、使用電池パックが電池パックＢＴ２である場合に比べて、ファン２２２の吸引力の上限値を大きくすることができる。また、吸引部２２は、使用電池パックが電池パックＢＴ２である場合、使用電池パックが電池パックＢＴ１である場合に比べて、ファン２２２の吸引力の下限値（ゼロより大きい）を小さくすることができる。
【００３９】
したがって、ユーザは、捕集機１の用途、吸い込む対象である対象物などに応じて、複数の電池パックＢＴ１，ＢＴ２から一の電池パックを使用電池パックとして選択することができる。例えば、できるだけ強い吸引力が必要である場合、使用電池パックとして電池パックＢＴ１が選択される。また、できるだけ弱い吸引力が必要である場合、使用電池パックとして電池パックＢＴ２が選択される。
【００４０】
また、捕集機１は、吸引スイッチ２１ｆが操作されることによって吸引力を切り替えることができるが、上述のように使用電池パックを切り替えることによっても吸引力を切り替えることができる。したがって、捕集機１は、吸引スイッチ２１ｆの操作内容と、使用電池パックとを組み合わせることによって、従来に比べてより広い範囲でより細かく吸引力を切り替えることができる。
【００４１】
次に、ダストユニット３は、図６−図８に示すように、ダストケース３１と、フィルタユニット３２と、振るい部３３とを有する。
【００４２】
ダストケース３１は、中空の略直方体形状に形成された集塵部３１１と、集塵部３１１の前面に一体に形成されたノズル３１２（図１、図２参照）と、ノズル３１２に設けられた逆流防止弁３１３とを備える。ノズル３１２は、先端を斜めに切り欠いた円筒形状に形成され、集塵部３１１の前面から突出している。ノズル３１２の先端の開口は、断面が円形の流入口３１２ａであり、ファン２２２の駆動時に外部の空気を集塵部３１１の内部に向かって吸い込む。ノズル３１２の後端には、円板形状の逆流防止弁３１３（図７参照）が取り付けられている。ファン２２２が動作していない場合、逆流防止弁３１３は、弾性部材（ばねなど）の弾性力によってノズル３１２の後端に押し付けられており、ノズル３１２の後端は、逆流防止弁３１３によって塞がれている。ファン２２２が動作している場合、逆流防止弁３１３は、流入口３１２ａから吸引された空気によって、弾性部材の弾性力に抗ってノズル３１２の後端を開放する方向に変位し、ノズル３１２の後端は開放状態になる。
【００４３】
フィルタユニット３２は、フィルタフレーム３２１と、フィルタ３２２とを備える。
【００４４】
フィルタフレーム３２１は、長円環状の枠体形状に形成されており、電気絶縁性を有する。フィルタ３２２は、１つの開口を有する袋状に形成されており、フィルタフレーム３２１の外周面にフィルタ３２２の開口縁が嵌め込まれることで、フィルタフレーム３２１にフィルタ３２２が取り付けられている。フィルタ３２２は、直径が１５−４５μｍ程度の粉体（例えば石膏粉など）を対象物として捕集し、かつ空気を通過させる。
【００４５】
さらに、振るい部３３が、フィルタユニット３２に取り付けられている。振るい部３３は、円環状の枠体３３ａと、円環状の枠体３３ｂと、４つの連結片３３ｃと、４つの連結片３３ｄと、操作部３３ｅとを備える。枠体３３ｂの直径は枠体３３ａの直径より小さい。
【００４６】
枠体３３ａと枠体３３ｂとは同軸上に離れて位置しており、４つの連結片３３ｃ及び４つの連結片３３ｄのそれぞれは、枠体３３ａと枠体３３ｂとの間を軸方向に一体に連結している。４つの連結片３３ｃのそれぞれと４つの連結片３３ｄのそれぞれとは、枠体３３ａ，３３ｂの各円周上を等間隔に交互に配置されている。
【００４７】
さらに、２組の一対の連結片３３ｄの枠体３３ｂ側の各先端は、枠体３３ｂより突出しており、一対の連結片３３ｄの間に連結板３３ｆが一体にそれぞれ形成されている。２つの連結板３３ｆは枠体３３ｂの直径方向において互いに対向している。そして、２つの連結板３３ｆの各内面には棒状のフィルタ取付片３３ｇ（フィルタ取付部）が枠体３３ｂの中心に向かって延設されており、２つのフィルタ取付片３３ｇの各先端は隙間を空けて対向している。
【００４８】
フィルタ３２２の内底面には両端が開口した筒部３２２ａが形成されている。そして、筒部３２２ａの両端に２つのフィルタ取付片３３ｇの各先端がそれぞれ挿入されることによって、振るい部３３がフィルタ３２２に取り付けられる。このとき、振るい部３３の一部（連結片３３ｃ，３３ｄ、枠体３３ｂ）は、フィルタ３２２の開口からフィルタ３２２の内部に収容されている。
【００４９】
操作部３３ｅは棒状の把手であり、操作部３３ｅが枠体３３ａの開口に直径方向に沿って配置されるように、操作部３３ｅの両端は枠体３３ａに嵌め込まれている。
【００５０】
そして、振るい部３３の枠体３３ａがフィルタフレーム３２１に固定されることで、振るい部３３がフィルタユニット３２に取り付けられる。
【００５１】
具体的に、フィルタフレーム３２１は、枠体形状のフレーム本体３２１ａを備える。フレーム本体３２１ａは、軸方向に扁平な筒状に形成されており、一方の端面には円形の開口３２１ｂが形成され、他方の端面には長円形状の開口３２１ｃが形成されている（図９参照）。開口３２１ｂの周縁と開口３２１ｃの周縁との間は側壁３２１ｄによって一体に連結されている。
【００５２】
そして、２つの円弧状の鍔部３２１ｅが、開口３２１ｂの周縁から内側に向かって延設されており、さらにフィルタフレーム３２１の軸方向から見て２つの鍔部３２１ｅの間には、２つの円弧状の鍔部３２１ｆが側壁３２１ｄから内側に向かって突出している。鍔部３２１ｅと鍔部３２１ｆとは、フィルタフレーム３２１の軸方向から見て略９０度間隔で交互にそれぞれ配置されている。さらに、鍔部３２１ｆは、鍔部３２１ｅよりも開口３２１ｃ側に位置するように、フィルタフレーム３２１の軸方向において鍔部３２１ｅから離れて位置している。
【００５３】
一方、振るい部３３では、枠体３３ａの外周側に円弧状の２つの鍔部３３ｈが形成されている。鍔部３３ｈの円周方向の一端縁には、凸部３３ｉが形成されている。そして、振るい部３３の枠体３３ｂが、フィルタフレーム３２１の開口３２１ｃから開口３２１ｂに向かってフレーム本体３２１ａに挿入される。振るい部３３の鍔部３３ｈの裏面がフィルタフレーム３２１の鍔部３２１ｅの表面に当接した後、振るい部３３が上方から見て時計方向に回転させられることによって、鍔部３３ｈの裏面が鍔部３２１ｅの表面上を摺動する。そして、鍔部３３ｈの表面が鍔部３２１ｆの裏面に対向した後、鍔部３３ｈの凸部３３ｉが鍔部３２１ｆの裏面に形成されている係止部３２１ｇ（図９参照）に係り合う。係止部３２１ｇは、傾斜部３２１ｈ、凹部３２１ｉ、ストッパ３２１ｊを備える。傾斜部３２１ｈ、凹部３２１ｉ、ストッパ３２１ｊは、鍔部３２１ｆの裏面において、時計方向に沿って傾斜部３２１ｈ、凹部３２１ｉ、ストッパ３２１ｊの順に配置されている。傾斜部３２１ｈは、時計方向に進むにつれて、開口３２１ｂに近付く方向に傾斜している。凹部３２１ｉは、鍔部３２１ｆの表面側に向かって窪んでおり、ストッパ３２１ｊは開口３２１ｂに向かって突出している。
【００５４】
したがって、振るい部３３が時計方向に回転すると、鍔部３３ｈの凸部３３ｉが傾斜部３２１ｈに当接し、係止部３２１ｇが上方向に撓んだ状態になる。振るい部３３が時計方向にさらに回転すると、鍔部３３ｈの凸部３３ｉが凹部３２１ｉに嵌まり込み、鍔部３３ｈの円周方向の一端がストッパ３２１ｊに当接して、振るい部３３がフィルタフレーム３２１に固定される。このとき、鍔部３３ｈの凸部３３ｉが凹部３２１ｉに嵌まり込む際にユーザにクリック感を感じさせることができるので、ユーザは、振るい部３３がフィルタフレーム３２１に固定されたことを認識できる。
【００５５】
また、振るい部３３が上方から見て反時計方向に回転すると、係止部３２１ｇが撓んで、鍔部３３ｈの凸部３３ｉが凹部３２１ｉから傾斜部３２１ｈに乗り上げる。そして、振るい部３３が反時計方向にさらに回転すると、凸部３３ｉが傾斜部３２１ｈの先端から外れて、振るい部３３がフィルタフレーム３２１から外れる。
【００５６】
さらに、集塵部３１１の後面の開口縁にはロックレバー３４（図６参照）が取り付けられている。ロックレバー３４は、左右方向を軸方向として回転する板状に形成されており、ロックレバー３４の後端には係止爪３４ａ（図６参照）が形成されている。また、本体ケース２１の前面には、係止片２１ｍ（図３参照）が設けられている。そして、ロックレバー３４の係止爪３４ａが本体ケース２１の係止片２１ｍの係止溝２１ｎ（図３参照）に係り合うことによって、駆動ユニット２の前面とダストユニット３の後面とが互いに対向した状態で、ダストユニット３が駆動ユニット２に取り付けられる。このとき、本体ケースの前端下部に形成された嵌合突起２１ｐ（図２参照）が、ダストケース３１の後面開口の下部に形成された凹部３１４（図６参照）に嵌まり込むことによって、ダストユニット３が駆動ユニット２に対して位置決めされる。
【００５７】
捕集機１では、流入口３１２ａとファン２２２との間に、ノズル３１２、集塵部３１１、フィルタユニット３２、及び吸い込み孔２１ｂを通る空気の流路が形成されている。そして、捕集機１では、吸引スイッチ２１ｆがユーザに操作されることによって、駆動ユニット２が駆動して、ファン２２２が前面から空気を吸い込む。この結果、流入口３１２ａに吸引力が生じ、流入口３１２ａからノズル３１２、集塵部３１１、フィルタユニット３２、及び吸い込み孔２１ｂを通って、ファン２２２に空気が吸い込まれる。
【００５８】
ファン２２２によって吸引された空気は、フィルタ３２２の外側から内側に向かってフィルタ３２２を通過し、フィルタフレーム３２１の枠内を通ってファン２２２に吸い込まれる。このとき、空気に含まれる粉体などの対象物は、フィルタ３２２を通過することができず、フィルタ３２２の外側に付着することでフィルタ３２２に捕集される。フィルタ３２２に捕集された対象物は、フィルタ３２２から集塵部３１１内に落下し、集塵部３１１内に収容される。すなわち、集塵部３１１には、捕集機１が吸い込んだ空気に含まれていた粉体などの対象物が集められる。
【００５９】
そして、ユーザは、ロックレバー３４を操作してロックレバー３４の係止状態を解除し、ダストユニット３を駆動ユニット２から取り外す。このとき、ダストユニット３は、ダストケース３１にフィルタユニット３２及び振るい部３３が収容された状態で駆動ユニット２から取り外される。駆動ユニット２から取り外されたダストユニット３の後面には、振るい部３３の操作部３３ｅが露出している。そこで、ユーザは、振るい部３３の操作部３３ｅを把持し、振るい部３３を振動させる力を操作部３３ｅに対して加えることによって、フィルタ３２２が振動し、フィルタ３２２の外側に付着している対象物をダストケース３１の集塵部３１１内に振るい落とすことができる。例えば、ユーザは、把持した操作部３３ｅに対して回転方向、左右方向、上下方向、及び前後方向の各方向に振動させる力を加える。この結果、フィルタ３２２の外側に付着していた対象物のうち大部分の対象物が、集塵部３１１内に収容され、フィルタ３２２の外側に残っている対象物は比較的少なくなる。
【００６０】
このとき、フィルタユニット３２及び振るい部３３は、ダストケース３１に収納された状態でダストケース３１に取り付けられている。したがって、ユーザは、振るい部３３の操作部３３ｅを把持することによって、ダストユニット３自体を持つことができ、操作部３３ｅを把持してダストユニット３自体を振動させることで、フィルタ３２２を振動させることができる。
【００６１】
そして、ユーザは、ダストケース３１を一方の手で押さえ、他方の手で操作部３３ｅを把持して反時計方向に回転させた後に引き上げることによって、フィルタユニット３２をダストケース３１から取り外すことができる。このとき、フィルタ３２２の外側に残っている対象物は比較的少ないので、周囲に撒き散らされる対象物の量は少なくなり、周囲の環境を良好に維持することができる。その後、ユーザは、ダストケース３１内の対象物を捨てて、ダストケース３１にフィルタユニット３２及び振るい部３３を取り付け、ダストユニット３を駆動ユニット２に取り付ける。
【００６２】
また、捕集機１では、流入口３１２ａとファン２２２との間に、ノズル３１２、集塵部３１１、フィルタユニット３２、及び吸い込み孔２１ｂを通る空気の流路が形成されている。この流路では、流入口３１２ａからファン２２２に向かう方向に空気が流れており、流路の上流は流入口３１２ａ側であり、流路の下流はファン２２２側になる。そして、振るい部３３の操作部３３ｅは、フィルタ３２２よりも流路の下流側に位置している。この結果、操作部３３ｅは、流路内において、フィルタ３２２によって対象物がフィルタリングされた空気が通る箇所に設けられており、操作部３３ｅに付着する対象物を低減できる。したがって、操作部３３ｅを清潔に保つことができ、操作部３３ｅを把持したユーザに清潔感を与えることができる。
【００６３】
また、図１０に示すように、捕集機１は、延長ノズル５をノズル３１２の先端に取り付けてもよい。延長ノズル５は、円筒形状のパイプ５１の先端にヘッド５２が設けられており、ヘッド５２に空気を吸い込む流入口が形成されている。また、隙間ノズル５３をヘッド５２の代わりにパイプ５１の先端に取り付けてもよい。隙間ノズル５３は、通常、パイプ５１に着脱自在に取り付けられている。
【００６４】
また、ハウジング１１の下面にはリブ３１５が設けられている（図１、図２参照）。リブ３１５は、ハウジング１１の下面から突出しており、捕集機１を床、地面等の載置面に置いた場合、捕集機１は、電池パックＢＴの下面とリブ３１５の下端とで支持される。
【００６５】
以上のように、実施形態に係る第１の態様の捕集機１は、吸引部２２と、フィルタ３２２と、ダストケース３１（容器）と、振るい部３３と、を備える。吸引部２２は、流体（例えば空気）を吸い込む。フィルタ３２２は、吸引部２２によって吸い込まれた流体を通過させ、流体に含まれている対象物を捕集して、対象物を流体から分離する。ダストケース３１は、フィルタ３２２によって分離された対象物を収容する。振るい部３３は、フィルタ３２２に付着した対象物をダストケース３１の内部に振るい落とすために設けられている。
【００６６】
したがって、捕集機１では、振るい部３３を振動させることによって、フィルタ３２２が振動し、フィルタ３２２の外側に付着している対象物をダストケース３１の集塵部３１１内に振るい落とすことができる。この結果、捕集機１では、容器内に収容されている対象物を捨てる際に、フィルタ３２２の外側に残っている対象物が比較的少なくなるので、フィルタ３２２に付着している対象物が周囲に飛散することを抑えることができる。
【００６７】
また、実施形態に係る第２の態様の捕集機１では、第１の態様において、振るい部３３は、対象物を振るい落とすために振るい部３３を振動させる力が加えられる操作部３３ｅを有することが好ましい。
【００６８】
したがって、捕集機１では、操作部３３ｅに力が加えられることで、振るい部３３を容易に振動させることができる。
【００６９】
また、実施形態に係る第３の態様の捕集機１では、第２の態様において、吸引部２２によって吸い込まれた流体の流路にフィルタ３２２が設けられ、流体の流路において、操作部３３ｅはフィルタ３２２の下流側に設けられることが好ましい。
【００７０】
したがって、捕集機１では、操作部３３ｅを清潔に保つことができ、操作部３３ｅを把持したユーザに清潔感を与えることができる。
【００７１】
また、実施形態に係る第４の態様の捕集機１では、第１乃至第３の態様のいずれか一つにおいて、フィルタ３２２は、開口を有する袋状に形成されている。そして、振るい部３３の少なくとも一部は、フィルタ３２２の開口からフィルタ３２２の内部に収容されていることが好ましい。
【００７２】
したがって、捕集機１は、振るい部３３からフィルタ３２２に効率よく振動を伝えることができる。この結果、捕集機１は、フィルタ３２２の外側に付着している対象物をダストケース３１の集塵部３１１内に効率よく振るい落とすことができる。
【００７３】
また、実施形態に係る第５の態様の捕集機１では、第１乃至第４の態様のいずれか一つにおいて、振るい部３３は、フィルタ３２２が取り付けられるフィルタ取付片３３ｇ（フィルタ取付部）を有することが好ましい。
【００７４】
したがって、捕集機１は、振るい部３３からフィルタ３２２に効率よく振動を伝えることができる。この結果、捕集機１は、フィルタ３２２の外側に付着している対象物をダストケース３１の集塵部３１１内に効率よく振るい落とすことができる。
【００７５】
また、実施形態に係る第６の態様の捕集機１は、第１乃至第５の態様のいずれか一つにおいて、ダストケース３１に対して着脱可能に構成されて、吸引部２２が収納されている本体ケース２１をさらに備える。そして、振るい部３３及びフィルタ３２２は、ダストケース３１に収納された状態でダストケース３１に取り付けられている。
【００７６】
したがって、捕集機１では、ユーザが操作部３３ｅを把持してダストユニット３自体を振動させることで、フィルタ３２２を振動させることができる。
【００７７】
また、実施形態に係る第７の態様の捕集機１は、第１乃至第６の態様のいずれか一つにおいて、フィルタ３２２は、枠体形状のフィルタフレーム３２１に取り付けられており、振るい部３３は、フィルタフレーム３２１に固定されていることが好ましい。
【００７８】
したがって、捕集機１は、振るい部３３からフィルタ３２２に効率よく振動を伝えることができる。この結果、捕集機１は、フィルタ３２２の外側に付着している対象物をダストケース３１の集塵部３１１内に効率よく振るい落とすことができる。
【００７９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００８０】
Ｓ１  捕集システム
１  捕集機
１１  ハウジング
２  駆動ユニット
２１  本体ケース
２２  吸引部
３  ダストユニット
３１  ダストケース（容器）
３１２ａ  流入口
３２  フィルタユニット
３２１  フィルタフレーム
３２２  フィルタ
３２２ａ  筒部
３３  振るい部
３３ｅ  操作部
３３ｇ  フィルタ取付片（フィルタ取付部）
【図１】
2019080854.tif 000003
【図２】
2019080854.tif 000004
【図３】
2019080854.tif 000005
【図４】
2019080854.tif 000006
【図５】
2019080854.tif 000007
【図６】
2019080854.tif 000008
【図７】
2019080854.tif 000009
【図８】
2019080854.tif 000010
【図９】
2019080854.tif 000011
【図１０】
2019080854.tif 000012